(57)【要約】 【課題】  バールの侵入対策として、建具の縦枠に固定される少なくとも錠本体の防御を図ること。【解決手段】  錠本体と、この錠本体のロック片が係脱する受け金具とから成る建具用ロック装置Ｘに於いて、前記錠本体は、縦枠２ａの内壁面に固定的に取付けられるバール侵入対策用の取付けベース部材２１の第１垂直板２２と、これに対向する第２垂直板２４とによって形成された縦方向の所要空間２３内に、少なくとも鎌片５の幅広後端部５ａが常時位置するように軸支し、一方、前記受け金具は、開閉体の自由端部の内部に固定的に設けられていることを特徴とする建具用ロック装置。【選択図】  図７
2005273223.tif 000002
【特許請求の範囲】
【請求項１】
錠本体と、この錠本体のロック片が係脱する受け金具とから成る建具用ロック装置Ｘに於いて、前記錠本体は、縦枠２ａの内壁面に固定的に取付けられるバール侵入対策用の取付けベース部材２１の第１垂直板２２と、これに対向する第２垂直板２４とによって形成された縦方向の所要空間２３内に、少なくとも鎌片５の幅広後端部５ａが常時位置するように軸支し、一方、前記受け金具は、開閉体の自由端部の内部に固定的に設けられていることを特徴とする建具用ロック装置。
【請求項２】
請求項１に於いて、取付けベース部材２１の第１垂直板２２は、縦長板状の取付け部２６と、この取付け部２６の外端部側に連設するバール用縦長板状防御板部２７と、前記取付け部２６の内端部側に連設する縦長板状のバール侵入対策用軸受け板部２８とから成り、第１垂直板２２及び第２垂直板２４によって形成されている所要空間２３は、縦方向の長くて狭い所要空間であることを特徴とする建具用ロック装置。
【請求項３】
請求項１又は請求項２に於いて、第１・第２垂直板２２．２４の所要空間２３内に、鎌片５と、この鎌片５の幅広後端部５ａに形成した歯部４５に噛合する駆動歯車４１と、この駆動歯車４１の突出カム部４６と摺接するクリック用摺動ブロック４２と、この摺動ブロック４２を前記駆動歯車４１側に付勢するクリックバネ４３とが縦列状態に組み込まれていることを特徴とする建具用ロック装置。
【請求項４】
請求項１に於いて、開閉体３の自由端部３ａにバール用防御片５３がさらに固定され、この防御片５３は、取付けベース部材２１の第１垂直板２２の外側軸受け板部２８よりも屋外側に位置し、窓枠２の縦枠２ａに向かって所要量延びていることを特徴とする建具用ロック装置。
【請求項５】
請求項１に於いて、鎌片は、複数枚の鉤状係合片２０を一体的に結合して構成されていることを特徴とする建具用ロック装置。
【発明の詳細な説明】
【技術分野】
【０００１】
本発明は、開き窓、引戸などの建具用ロック装置に関する。
【背景技術】
【０００２】
特許文献１には、「開き窓を構成する窓枠に摘み操作レバーを有するロック部材（当業者の慣用語では「サブロック錠」）を取付け、一方、前記窓枠に装着されると共に水平方向に開く開閉体（当業者の慣用語では「障子」）の自由端部の端面に前記摘み操作レバーの先端部が係脱するロック受け板が固定された開き窓の開閉体用ロック装置」が開示されている。
【０００３】
上記構成のサブロック錠の摘み操作レバーの先端部は、普通一般の「フック型（指を折り曲げたような鉤状の意味）」に形成され、一方、ロック受け板の被係合部（フックが係脱する部分）は、弧状に形成されている（例えば特許文献１の図１）。なお、公知のように、普通一般の窓用クレセントのようなロック手段においても、摘み操作レバーの薄肉係合部がフック状に形成され、一方、受け金具の被係合部が弧状に形成されている。
【０００４】
ところで、近年、泥棒がバールを用いて開き窓の開閉体（障子）用ロック装置を破壊する手口が発生しているが、特許文献１のように摘み操作レバーの薄肉係合部がフック状に形成され、一方、受け金具の被係合部が弧状に形成されているクレセント型のものは、バールのこじあけ操作によって前記フック状係合部及び／又は弧状の被係合部が容易に変形するという問題点があった。そこで、ロック装置全体の構造を見直し、その強化構造、特にバールの侵入対策が要望されている。
【特許文献１】特開平９−２２８７１１号公報
【特許文献２】特許公開１０−２２００９０号公報
【発明の開示】
【発明が解決しようとする課題】
【０００５】
本発明の第１の目的は、バールの侵入対策として、建具の縦枠に固定される少なくとも錠本体の防御を図ることである。第２の目的は、バールの侵入対策として、錠本体の作動部材に対する二重或いは三重の防御を図ることである。第３の目的は、錠本体を合理的に構成し、建具の縦枠と開閉体の自由端部の間の縦方向の狭い垂直空間に配設することである。第４の目的は、錠本体の鎌片がバールの攻撃によって容易に変形しないことである。
【課題を解決するための手段】
【０００６】
本発明の建具用ロック装置は、錠本体と、この錠本体のロック片が係脱する受け金具とから成る建具用ロック装置Ｘに於いて、前記錠本体は、縦枠２ａの内壁面に固定的に取付けられるバール侵入対策用の取付けベース部材２１の第１垂直板２２と、これに対向する第２垂直板２４とによって形成された縦方向の所要空間２３内に、少なくとも鎌片５の幅広後端部５ａが常時位置するように軸支し、一方、前記受け金具は、開閉体の自由端部の内部に固定的に設けられていることを特徴とする。
【０００７】
上記構成に於いて、取付けベース部材２１の第１垂直板２２は、縦長板状の取付け部２６と、この取付け部２６の外端部側に連設するバール用縦長板状防御板部２７と、前記取付け部２６の内端部側に連設する縦長板状のバール侵入対策用軸受け板部２８とから成り、第１垂直板２２及び第２垂直板２４によって形成されている所要空間２３は、縦方向の長くて狭い所要空間であることを特徴とする。また、前記第１・第２垂直板２２．２４の所要空間２３内に、鎌片５と、この鎌片５の幅広後端部５ａに形成した歯部４５に噛合する駆動歯車４１と、この駆動歯車４１の突出カム部４６と摺接するクリック用摺動ブロック４２と、この摺動ブロック４２を前記駆動歯車４１側に付勢するクリックバネ４３とが縦列状態に組み込まれていることを特徴とする。
【発明の効果】
【０００８】
（１）バール対策用の取付けベース部材の第１垂直板と、これに対向する第２垂直板とによって形成された所要空間内に、少なくとも鎌片の幅広後端部が常時位置するように軸支したので、錠本体の防御を図ることができる。
（２）請求項２に記載の発明は、取付けベース部材がバール用防御板部２７を有するので、軸受け板部２８と同様にバールの侵入に対する防御壁となる。したがって、取付けベース部材は軸受け板部２８とその手前側の防御板部２７とで、いわゆる二重の防御機能を果す。
（３）請求項３に記載の発明は、錠本体を合理的に構成したので、建具の縦枠と開閉体の自由端部の間の縦方向の狭い垂直空間に錠本体を配設することができる。
（４）請求項４に記載の発明は、バールの侵入に対して、錠本体の作動部材を、いわば三重に防御することができる。
（５）請求項５に記載の発明は、錠本体の鎌片がバールの攻撃によって容易に変形しない。
【発明を実施するための最良の形態】
【０００９】
以下、図面に示す本発明を実施するための最良の形態により、本発明を詳細に説明する。図１乃至８図は、本発明の第１実施例を示す各説明図である。本発明は、縦枠２ａの内壁面に固定的に取付けられ、かつ、ロック片としての鎌片を有する錠本体と、開閉体の自由端部の内部に固定的に設けられ受け金具との組合せからなる構成であれば、開き窓だけではなく、引戸にも適合する建具用ロック装置Ｘである。ここでは、建物の開き窓１を例にして説明する。
【００１０】
（１）実施の環境
図１に於いて、１は、建具の開き窓である。この開き窓１は、窓枠２と、該窓枠２に開閉自在に設けられた開閉体（障子）３とから構成されている。窓枠２は縦枠２ａを有し、一方、開閉体（障子）３は自由端部３ａを有する。本実施例の建具用ロック装置Ｘは、例えば前記縦枠２ａの内壁面に固定的に取付けられる錠本体４と、この錠本体４の鎌片５が係脱することができるように前記開閉体３の自由端部３ａに固定的に取付けられる受け金具６とから構成されている。
【００１１】
開き窓１は、出窓の一部や連窓サッシの一部など不動産（建具）の一部を構成する。開き窓自体の構成は、本発明の特定要件では無いので、図１では概略的に示し、本発明に関係のない部分は省略してある。
【００１２】
また窓枠２は、一般に左右の縦枠と上下の横枠とで方形に形成されているが、図１では便宜上、開閉体３の自由端部３ａと対向する縦枠２ａのみを示している（他は省略）。縦枠２ａは、屋外８側寄りの位置で前記自由端部３ａ側に突出する雨除け用突片部９と、この突片部９に対して所要の間隔（空間）を有して設けられ、かつ、屋内１０寄りの位置で前記自由端部３ａ側に突出するアルミフレーム枠の受け部１１とを有する。受け部１１は、例えば空洞１２を有し、該空洞１２内には、摘み部１３ａを有する操作部材１３用の台座１４が固定的に内装されている。
【００１３】
ところで、本発明の特定要件には関係がないが、前記突片部９は、開閉体３の自由端部３ａから突出するアルミ製の薄肉突片部１５に設けられた第１パッキン材１６と当接可能である。一方、前記アルミ製の受け部１１の外壁面には、開閉体３の自由端部３ａの内側と当接可能な第２パッキン材１７が設けられている。なお、一般に、開閉体３を閉じた時、縦枠２ａと自由端部３ａとの間には、開閉体３を開くことができるように若干の間隙１８が設けられている。また、前述したように手前の薄肉突片部１５或いは雨除け用突片部９と向こう側のアルミ製の受け部１１との間には、錠本体４を配設することができる縦方向の狭い空間１９が設けられている。前記縦方向の狭い空間１９は、開閉体３を閉鎖時、建具の縦枠２ａと開閉体３の自由端部３ａとの間に生ずる隙間を意味する。
【００１４】
一方、開閉体３は一般に左右の縦框、上下の横框、パッキン材、ガラスパネル等で構成され、たとえば外開き式回転中心（図示せず）が適宜箇所にあり、閉鎖時、図１の矢印Ａ方向に移動し、その自由端部３ａの内壁面が突片部１５の第２パッキン材１７に当接する。
【００１５】
（２）建具用ロック装置Ｘ
ロック装置Ｘは、本実施例では、縦枠２ａに固定的に取付けられる錠本体４と、この錠本体４の鎌片５が係脱することができるように開閉体３の自由端部３ａに取付けられる受け金具６とから構成され、前記錠本体４は、図２乃至図７に示すように構成され、一方、受け金具６は、図８で示すように構成されている。以下、ロック装置Ｘの構成を中心に説明する。
【００１６】
（３）錠本体４
図２は自由端部３ａ側から見た正面図、図３は正面図を基準にした左側面図である。したがって、他の図面も図２を基準にしている。図７が錠本体４を構成する分解斜視図なので、主に図１と図７を参照にして説明する。錠本体４は、縦枠２ａの空間１９内に収まるように該縦枠２ａの内壁面に固定される取付けベース部材２１と、この取付けベース部材２１内に互いに縦列状態に組み込まれ、かつ、操作部材１３の操作力により連動する複数個の作動部材（駆動歯車、鎌片など）とから成る。
【００１７】
（４）取付けベース部材２１
取付けベース部材２１は縦長状の金属片であり、本実施例では、屋外側の第１垂直板２２と、この第１垂直板２２と縦方向の所要空間２３を有して対向する屋内側の第２垂直板２４とから成る。第１垂直板２２と第２垂直板２４は、プレス加工あるいは鋳造法により一体に形成しても良いが、本実施例では、後述する複数個の作動部材の組み込みの容易化を図るために、成型時、両板２２．２４は別体であり、上下の連結手段（例えば固定筒、固定ピンなど）２５を介して一体的に結合している。つまり、複数個の作動部材の組み込みながら、第１垂直板２２と第２垂直板２４は複数個の連結手段２５で一体化される。少なくとも、前記第１垂直板２２は、バール侵入対策（以下、「バール用」という。）のために、例えばステンレス製（その材質はＳＣＳ１３）であり、鋳造処理（鋳造法）により製造され、あるいは浸炭焼き入れ焼戻しの処理されている。
【００１８】
（５）取付けベース部材の具体的構成
まず、第１垂直板２２は、図１や図７で示すように、端面Ｌ型状或いはコ字型状に形成された取付け部２６と、この取付け部２６の外端部側に折り曲げ連設するバール用防御板部２７と、前記取付け部２６の内端部側に折り曲げ連設する軸受け板部２８とから成り、軸受け板部２８は前記防御板部２７よりも自由端部３ａ或いは受け金具６側に２倍程度延びている。
【００１９】
しかして、第１垂直板２２の取付け部２６の上下端部は幅広に形成され、該幅広部には、それぞれ上下方向に複数個（例えば２個）の取付け孔（符号省略）が設けられている。一方、前記バール用防御板部２７の幅は、本実施例では軸受け板部２８のそれよりも短いが、縦枠２ａを基準にした場合の突出量は、望ましくは、間隙１８を利用したバールの侵入を考慮すると、間隙１８よりも長いことが必要である。また、バール用防御板部２７の幅を設定する場合、操作部材１３の駆動軸１３ｂの挿入先端部を受け止める機能を発揮できるようにすることが望ましい。防御板部２７は、取付けベース部材２１が縦枠２ａの内壁面に図示しない固着具で固定された場合には、縦枠２ａの突片部９の裏側に面接触或いは対面する。
【００２０】
ところで、前記軸受け板部２８には、前述した連結手段２５用の孔の他に、複数個の作動部材用装着用の軸孔、案内切欠、打ち抜き孔が上方から下方にかけて適宜部位に形成されている。ここでは、軸受け板部２８の略中央部に形成され、かつ、内周面に複数個のストッパー面を有する駆動歯車用軸孔２９と、軸受け板部２８の下端部に折り曲げ形成されたバネ端受け部３０と、このバネ端受け部３０と前記軸孔２９との間に括れ状に形成された左右１対の案内部（例えば切欠）３１．３１にそれぞれ符号を付す。なお、軸受け板部２８は、取付け部２６よりも縦方向の長さは短いが、長さや横方向の幅寸法は適宜に設計変更できる。
【００２１】
次に、第１垂直板２２と所要空間２３を有して対向する第２垂直板２４は、例えば第１垂直板２２と同様に端面Ｌ状に形成された取付け部３６と、この取付け部３６の外端部側に折り曲げ連設する軸受け板部３８とを有し、前記軸受け板部３８は第１垂直板２２の前述した軸受け板部２８と同一寸法の大きさで対向する。
【００２２】
したがって、細部の符号を省略するが、この軸受け板部３８にも軸受け板部２８と同様に取付け孔、鎌片用軸孔、駆動歯車用軸孔２９、右１対の案内切欠（案内部）３１．３１がそれぞれ設けられている。なお、第２垂直板２４の長さ、幅寸法、形状もそれぞれ任意に設形変更可能であるから、例えば第２垂直板２４の長さを軸受け板部２８よりも長くし、或いは取付け強度を付与するために第２垂直板２４の端面をアングル状に形成しても良い。
【００２３】
（６）複数個の作動部材
複数個の作動部材は、取付けベース部材２１の第１垂直板２２と第２垂直板２４の縦長空間２３に縦列状態に組み込まれる。換言すれば、複数個の作動部材は、第１垂直板２２の外側軸受け板部２８と、これに対向する第２垂直板２４の内側軸受け板部３８の所要空間２３内に組み込まれる。複数個の作動部材は、本実施例では、操作部材１３の操作力により駆動する駆動歯車４１と、この駆動歯車４１の歯部と噛合する鎌片５と、前記駆動歯車４１の突出カム部に常時圧接するクリック用摺動ブロック４２と、この摺動ブロック４２を前記駆動歯車４１側に付勢するクリックバネ４３とから成る。
【００２４】
作動部材は、例えば合計４つの部品から成るが、実施例によっては、サムターンの一例である摘み操作部材１３の駆動軸１３ｂを鎌片５の幅広後端部５ａに直に取付けることも可能である（操作部材１３が抜き取り自在か否かを問わない）。
【００２５】
上記のような実施例の場合には、クリックバネ４３、クリック用摺動ブロック４２及び駆動歯車４１は、発明の特定要件ではない。したがって、本発明の要旨は、バール対策用の取付けベース部材２１の第１垂直板２２と、これに対向する第２垂直板２４とによって形成された所要空間２３内に、少なくとも鎌片５の幅広後端部５ａが常時位置するようにこれらの垂直板２２．２４に軸支されていることである。そして、この構成に従属する本発明の構成は、前記垂直板２２．２４の縦方向の狭い所要空間２３内に、前記鎌片５の幅広後端部５ａに形成した歯部４５に噛合する駆動歯車４１と、この駆動歯車４１の突出カム部４６と摺接するクリック用摺動ブロック４２と、この摺動ブロック４２を前記駆動歯車４１側に付勢するクリックバネ４３を縦列状態に組み込んだことである。
【００２６】
ところで、前記鎌片５は、図７で示すように、複数枚（実施例では３枚）の鉤状係合片２０を一体的に結合し、その強靭化を図っている。鎌片５を構成する鉤状係合片２０の少なくとも１枚は、浸炭焼き入れ焼戻しが施されて、又は取付けベース部材２１と同一の素材で鋳造されている。
【００２７】
なお、前記クリック用摺動ブロック４２は、上下端部に外側軸受け板部２８と内側軸受け板部３８の括れ状案内部３１．３１にそれぞれ係合する複数個（合計４個）の係合突起４７を有し、また、その下端面は前述バネ端受け部３０に支持されていると共に、その上端面は、駆動歯車４１の突出カム部４６に圧接している。作動部材の各部の具体的構成については、発明の必須要件ではないので、説明を割愛する。
【００２８】
（７）受け金具６とバール用防御片５３
前述したように、本発明は、鎌片５を有する錠本体４と、前記鎌片５の鉤状先端部５ｂが係脱する受け金具６との組合せからなる。受け金具６は、開閉体３の自由端部３ａに形成された横向き凹所或いは取付け空間５１に適宜に取付けられる。受け金具６は、本実施例では、端面Ｌ型状に形成されてるいが、慣用語では「ストライク」と称され、少なくとも鎌片５の鉤状先端部５ｂが係合する係合窓５２を有している。
【００２９】
ところで、本発明の構成に従属するもう一つの新規構成として、バール用防御片５３が開閉体３の自由端部３ａに固定されている。このバール用防御片５３は、図１を基準にすると、アングル状（例えば端面Ｌ字型状、コ字型状）に形成されている。
【００３０】
しかして、防御片５３は、自由端部３ａに固定される取付け部５５と、この取付け部５５に交差方向に連設する防御板部５６とから成り、前記取付け部５５には、鎌片５の鉤状先端部５ｂが出入りする開口５７が形成されている。バール用防御板部５６は、取付けベース部材２１の第１垂直板２２の外側軸受け板部２８よりも屋外側に位置し、窓枠２の縦枠２ａに向かって所要量延びている。
【実施例】
【００３１】
発明の実施の形態で示した実施例に於いて、摘み部１３ａを有する操作部材１３は、駆動歯車４１の中央部に形成された角型軸孔４９に、その細長板状の駆動軸１３ｂを介して抜脱自在に差し込まれる。
【００３２】
また、取付けベース部材２１を構成する第２垂直板２４の取付け強度を付与するために第２垂直板２４の端面をアングル状に形成しても良い旨を説明したが、例えば第２垂直板２４の横断面の一部或いは全部（この場合には、操作部材１３の駆動軸１３ｂ用の孔又は切欠が必要である。）を逆コ字状に形成し、取付けベース部材２１を操作部材１３用のブック状の台座１４に図示しない固着具を介して一体的に設けても良い。
【産業上の利用可能性】
【００３３】
本発明は、主に建具や錠前の業界で利用される。
【図面の簡単な説明】
【００３４】
図１乃至図９は本発明の最良の実施例を示す各説明図。
【図１】本発明を開き窓に適用した実施の形態を示す平面視からの説明図。
【図２】開閉体の自由端部側から見た錠本体の正面図。
【図３】図２を基準にした左側面図。
【図４】図２を基準にした右側面図。
【図５】錠本体の正面図を一部断面で示した説明図。
【図６】右側面側から錠本体の内部構造を示す説明図。
【図７】錠本体の分解斜視図。
【図８】主要部を中心とする分解斜視図。
【符号の説明】
【００３５】
Ｘ…ロック装置、1…開き窓、２…窓枠、２ａ…縦枠、３…開閉体（障子）、３ａ…自由端部、４…錠本体、５…鎌片、６…受け金具、８…屋外、９…突片部、１０…屋内、１１…受け分、１３…操作部材、１３ｂ…駆動軸、１４…台座、１５…薄肉突片部、１８…間隙、１９…空間、２１…取付けベース部材、２２…第１垂直板、２３…所要空間、２４…第２垂直板、２５…連結手段、２６…取付け部、２７…バール用防御板部、２８…外側軸受け板部、２９…駆動歯車用軸孔、３０…バネ端受け部、３１…案内部、３６…取付け部、３８…内側軸受け板部、４１…駆動歯車、４２…クリック用摺動ブロック、４３…クリックバネ、５３…バール用防御片。
【図１】
2005273223.tif 000003
【図２】
2005273223.tif 000004
【図３】
2005273223.tif 000005
【図４】
2005273223.tif 000006
【図５】
2005273223.tif 000007
【図６】
2005273223.tif 000008
【図７】
2005273223.tif 000009
【図８】
2005273223.tif 000010